(57)【要約】【課題】ユーザからの適用する信号フォーマットの変更要求に即応可能であり、また、伝送路を有効利用することができるＯＶＰＮを実現する。【解決手段】ユーザ側とＯＶＰＮ側との信号伝送に際し、波長多重を用いる。さらに、ユーザ装置毎の波長情報と、それらの波長が多重される旨の情報をＯＶＰＮ側に通知する。【選択図】  図１
2004193659.tif 000002
【特許請求の範囲】
【請求項１】
ＯＶＰＮ（Ｏｐｔｉｃａｌ  Ｖｉｒｔｕａｌ  Ｐｒｉｖａｔｅ  Ｎｅｔｗｏｒｋ）加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮと前記ユーザ装置との間に介挿された拠点装置において、
複数の前記ユーザ装置が用いる複数の光波長信号を多重して前記ＯＶＰＮに送出する手段と、
前記ＯＶＰＮから到来する光波長多重信号を分離して複数の前記ユーザ装置にそれぞれ送出する手段と、
複数の前記ユーザ装置のそれぞれについて用いる波長の情報および当該波長が多重されて伝送される旨の情報を前記ＯＶＰＮに通知する手段と
を備えたことを特徴とする拠点装置。
【請求項２】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を請求項１記載の拠点装置を介して収容するＯＶＰＮ終端装置において、
ＯＶＰＮから到来する複数の光波長信号を多重して前記拠点装置に送出する手段と、
前記拠点装置から到来する光波長多重信号を分離して前記通知する手段により通知された情報に基づき所定の方路に伝送させる手段と
を備えたことを特徴とするＯＶＰＮ終端装置。
【請求項３】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段とを備え、当該相互に変換する手段は、複数の異なる前記第一の信号フォーマットに対応して複数設けられたＯＶＰＮと前記ユーザ装置との間に介挿された拠点装置において、
前記ユーザ装置が送出するシリアル信号を複数のパラレル信号に変換して前記ＯＶＰＮに送出する手段と、
前記ＯＶＰＮから到来する複数のパラレル信号をシリアル信号に変換して前記ユーザ装置に送出する手段と、
当該シリアル信号を当該パラレル信号に変換した旨の情報およびパラレル信号のトポロジに関する情報を前記ＯＶＰＮに通知する手段と
を備えたことを特徴とする拠点装置。
【請求項４】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者の前記ユーザ装置を請求項３記載の拠点装置を介して収容するＯＶＰＮ終端装置において、
請求項３記載の拠点装置の前記通知する手段により通知された情報に基づき一連のシリアル信号から分割されたパラレル信号を同一の前記第一の信号フォーマットに対応する複数の前記相互に変換する手段にそれぞれ入力させる手段を備えた
ことを特徴とするＯＶＰＮ終端装置。
【請求項５】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮと前記ユーザ装置との間に介挿された拠点装置において、
前記ユーザ装置から送出されたシリアル信号を変換したパラレル信号を波長多重して前記ＯＶＰＮに送出する手段と、
前記ＯＶＰＮから到来する波長多重信号をパラレル信号に分離して当該パラレル信号をシリアル信号に変換して前記ユーザ装置に送出する手段と、
当該シリアル信号を当該パラレル信号に変換した旨の情報およびパラレル信号のトポロジに関する情報および当該パラレル信号が波長多重されて伝送される旨の情報を前記ＯＶＰＮに通知する手段と
を備えたことを特徴とする拠点装置。
【請求項６】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を請求項５記載の拠点装置を介して収容するＯＶＰＮ終端装置において、
前記ＯＶＰＮから到来するパラレル信号を多重して前記拠点装置に送出する手段と、
前記拠点装置から到来する光波長多重信号を分離してパラレル信号として前記ＯＶＰＮに送出する手段と、
前記拠点装置の前記通知する手段により通知された情報に基づき波長多重信号から分離されたパラレル信号を同一の前記第一の信号フォーマットに対応する複数の前記相互に変換する手段にそれぞれ入力させる手段と
を備えたことを特徴とするＯＶＰＮ終端装置。
【請求項７】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、
少なくとも一部の前記相互に変換する手段は、前記ユーザ装置からのシリアルな前記第一の信号フォーマットによる一連の信号を前記ＯＶＰＮ内のパラレルな複数の前記第二の信号フォーマットによる信号に変換し前記ＯＶＰＮから前記ユーザ装置に向かうパラレルな当該複数の前記第二の信号フォーマットによる信号をシリアルな前記第一の信号フォーマットによる一連の信号に相互に変換する手段を含む
ことを特徴とするＯＶＰＮシステム。
【請求項８】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記相互に変換する手段を自装置内に備え、
少なくとも一部の前記相互に変換する手段は、前記ユーザ装置から前記ＯＶＰＮに向かうシリアルな前記第一の信号フォーマットによる一連の信号を前記ＯＶＰＮ内のパラレルな複数の前記第二の信号フォーマットによる信号に変換し前記ＯＶＰＮから前記ユーザ装置に向かうパラレルな当該複数の前記第二の信号フォーマットによる信号をシリアルな前記第一の信号フォーマットによる一連の信号に相互に変換する手段を含む
ことを特徴とするＯＶＰＮ終端装置。
【請求項９】
前記相互に変換する手段を自装置内に備えた請求項２、４、６のいずれかに記載のＯＶＰＮ終端装置。
【請求項１０】
前記ユーザ装置と前記ＯＶＰＮとを切り分ける手段と、
前記ＯＶＰＮから送出された試験光を再び前記ＯＶＰＮに折り返す手段と
を備えた請求項１、３、５のいずれかに記載の拠点装置。
【請求項１１】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられ、
複数の請求項２、４、６のいずれかに記載のＯＶＰＮ終端装置に共通に前記相互に変換する手段の機能を提供する手段を備えた
ことを特徴とする集中変換装置。
【請求項１２】
請求項１、３、５、１０のいずれかに記載の拠点装置または請求項２、４、６、８のいずれかに記載のＯＶＰＮ終端装置または請求項１１記載の集中変換装置を備えたことを特徴とする光通信網。
【発明の詳細な説明】
【０００１】
【発明の属する技術分野】
本発明は、ＶＰＮ（Ｖｉｒｔｕａｌ  Ｐｒｉｖａｔｅ  Ｎｅｔｗｏｒｋ）に関する。特に、様々なレイヤ１信号を収容可能で、レイヤ１ＶＰＮやＯＶＰＮ（ＯＶＰＮ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。図７は従来のＯＶＰＮ構成例を示す図であるが、従来の技術では、図７に示すように、ユーザが拠点間でＯＶＰＮ（ＯＶＰＮ）を構成する場合に、拠点間に光専用線１２３〜１２５をネットワークプロバイダから借りて接続し、ＯＶＰＮを構成するのが一般的である。この場合に、光専用線１２３〜１２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、レイヤ１信号をトランスペアレントに伝達する機能を有する専用線を構成する技術として、ＳＤＨ／ＳＯＮＥＴや、ＯＴＮ（Ｏｐｔｉｃａｌ  Ｔｒａｎｓｐｏｒｔ  Ｎｅｔｗｏｒｋ）という技術がある。様々なレイヤ１信号（例えば、ＰＤＨ、Ｅｔｈｅｒｎｅｔ（登録商標）、Ｇｉｇａｂｉｔ  Ｅｔｈｅｒｎｅｔ、Ｆｉｂｅｒｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（ＯＣｈ）ペイロードに収容する信号変換器と、網の出口でペイロードから収容したレイヤ１信号を取り出して出力する信号変換器を介して伝達することで、レイヤ１のディジタル信号をトランスペアレントに伝達する機能を提供している。現状の技術レベルでは、Ｇｉｇｂｉｔ  ＥｔｈｅｒｎｅｔとＦｉｂｅｒｃｈａｎｎｅｌといった、一部の例外を除くと、同一の信号変換器で複数のレイヤ１信号を取り扱うことができない。
【０００４】
したがって、ＯＶＰＮを上述の信号変換器を用いて構成した場合に、ＯＶＰＮを利用するユーザは、予め使用するレイヤ１信号をＯＶＰＮ提供者に届け出を行い、所望の信号変換器をＯＶＰＮの終端装置に配備してもらわなくてはならない（例えば、非特許文献１参照）。
【０００５】
【非特許文献１】
三澤、片山、岡本、山中“Ｏｐｔｉｃａｌ  ＶＰＮサービスの提案”２００２信学ソサエティ大会ＳＢ−６−４
【０００６】
【発明が解決しようとする課題】
このように、従来のＯＶＰＮでは、レイヤ１信号をトランスペアレントに伝達するという機能を提供することは可能であるが、収容するレイヤ１信号をＯＶＰＮユーザが変更したいという要求に対しては、信号変換器の取替えやファイバの接続変更といった作業が必要となり、ユーザからの変更要求に対して即応できないという問題がある。
【０００７】
本発明は、このような背景に行われたものであって、ユーザからの適用する信号フォーマットの変更要求に即応可能なＯＶＰＮを提供することを目的とする。また、本発明は、伝送路を有効利用することができるＯＶＰＮを提供することを目的とする。
【０００８】
【課題を解決するための手段】
本発明は、ＯＶＰＮのユーザが用いる複数のＬ１信号種別に対応するために、複数種類の信号変換を行うことができるＯＶＰＮ終端装置を用いることを特徴とするＯＶＰＮシステムにおいて、ユーザ側とＯＶＰＮ側との信号伝送に際し、波長多重を用いることにより、伝送路を有効利用することを特徴とする。さらに、ユーザ装置毎の波長情報と、それらの波長が多重される旨の情報をＯＶＰＮ側に通知することを特徴とする。これにより、ＯＶＰＮ側では、通知された情報を活用して波長分離を効率良く行うことを特徴とする。
【０００９】
すなわち、本発明の第一の観点は、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮと前記ユーザ装置との間に介挿された拠点装置である。
【００１０】
ここで、本発明の特徴とするところは、複数の前記ユーザ装置が用いる複数の光波長信号を多重して前記ＯＶＰＮに送出する手段と、前記ＯＶＰＮから到来する光波長多重信号を分離して複数の前記ユーザ装置にそれぞれ送出する手段と、複数の前記ユーザ装置のそれぞれについて用いる波長の情報および当該波長が多重されて伝送される旨の情報を前記ＯＶＰＮに通知する手段とを備えたところにある。
【００１１】
また、本発明の第二の観点はＯＶＰＮ終端装置であって、本発明の特徴とするところは、ＯＶＰＮ加入者のユーザ装置を本発明の拠点装置を介して収容し、ＯＶＰＮから到来する複数の光波長信号を多重して前記拠点装置に送出する手段と、前記拠点装置から到来する光波長多重信号を分離して前記通知する手段により通知された情報に基づき所定の方路に伝送させる手段とを備えたところにある。
【００１２】
また、本発明は、一連のシリアル信号を複数のパラレル信号に変換して伝送することにより、ユーザ側とＯＶＰＮ側との伝送速度の差異を吸収することを特徴とする。このときに、シリアル信号をパラレル信号に変換した旨の情報およびパラレル信号のトポロジに関する情報をＯＶＰＮ側に通知することによって、元は一連のシリアル信号であった複数のパラレル信号を一つのグループとして伝送することができる。これにより、例えば、複数のパラレル信号を伝送距離が異なる複数の伝送路を用いてパラレル伝送した場合には、宛先への到着時刻差が大きくなるが、これを伝送距離が近似した複数の伝送路を用いて伝送することによって宛先への到着時刻差を少なくすることができる。
【００１３】
あるいは、本発明の拠点装置の特徴とするところは、前記ユーザ装置が送出するシリアル信号を複数のパラレル信号に変換して前記ＯＶＰＮに送出する手段と、前記ＯＶＰＮから到来する複数のパラレル信号をシリアル信号に変換して前記ユーザ装置に送出する手段と、当該シリアル信号を当該パラレル信号に変換した旨の情報およびパラレル信号のトポロジに関する情報を前記ＯＶＰＮに通知する手段とを備えたところにある。
【００１４】
あるいは、本発明のＯＶＰＮ終端装置の特徴とするところは、ＯＶＰＮ加入者のユーザ装置を本発明の拠点装置を介して収容し、本発明の拠点装置の前記通知する手段により通知された情報に基づき一連のシリアル信号から分割されたパラレル信号を同一の前記第一の信号フォーマットに対応する複数の前記相互に変換する手段にそれぞれ入力させる手段を備えたところにある。
【００１５】
また、本発明は、上記パラレル信号を波長多重して伝送することもできる。これにより、伝送路の使用効率を高めることができる。
【００１６】
あるいは、本発明の拠点装置の特徴とするところは、前記ユーザ装置から送出されたシリアル信号を変換したパラレル信号を波長多重して前記ＯＶＰＮに送出する手段と、前記ＯＶＰＮから到来する波長多重信号をパラレル信号に分離して当該パラレル信号をシリアル信号に変換して前記ユーザ装置に送出する手段と、当該シリアル信号を当該パラレル信号に変換した旨の情報およびパラレル信号のトポロジに関する情報および当該パラレル信号が波長多重されて伝送される旨の情報を前記ＯＶＰＮに通知する手段とを備えたところにある。
【００１７】
あるいは、本発明のＯＶＰＮ終端装置の特徴とするところは、ＯＶＰＮ加入者のユーザ装置を本発明の拠点装置を介して収容し、前記ＯＶＰＮから到来するパラレル信号を多重して前記拠点装置に送出する手段と、前記拠点装置から到来する光波長多重信号を分離してパラレル信号として前記ＯＶＰＮに送出する手段と、前記拠点装置の前記通知する手段により通知された情報に基づき波長多重信号から分離されたパラレル信号を同一の前記第一の信号フォーマットに対応する複数の前記相互に変換する手段にそれぞれ入力させる手段とを備えたところにある。
【００１８】
また、本発明の第三の観点はＯＶＰＮシステムであって、本発明の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、少なくとも一部の前記相互に変換する手段は、前記ユーザ装置からのシリアルな前記第一の信号フォーマットによる一連の信号を前記ＯＶＰＮ内のパラレルな複数の前記第二の信号フォーマットによる信号に変換し前記ＯＶＰＮから前記ユーザ装置に向かうパラレルな当該複数の前記第二の信号フォーマットによる信号をシリアルな前記第一の信号フォーマットによる一連の信号に相互に変換する手段を含むところにある。
【００１９】
あるいは、本発明のＯＶＰＮ終端装置の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容し、前記相互に変換する手段を自装置内に備え、少なくとも一部の前記相互に変換する手段は、前記ユーザ装置から前記ＯＶＰＮに向かうシリアルな前記第一の信号フォーマットによる一連の信号を前記ＯＶＰＮ内のパラレルな複数の前記第二の信号フォーマットによる信号に変換し前記ＯＶＰＮから前記ユーザ装置に向かうパラレルな当該複数の前記第二の信号フォーマットによる信号をシリアルな前記第一の信号フォーマットによる一連の信号に相互に変換する手段を含むところにある。
【００２０】
これにより、ＯＶＰＮ内の伝送速度がＯＶＰＮ外の伝送速度よりも遅い場合に、ＯＶＰＮ終端装置によって速度を調整することができる。
【００２１】
ＯＶＰＮ終端装置は、前記相互に変換する手段を自装置内に備えることもできる。また、拠点装置は、前記ユーザ装置と前記ＯＶＰＮとを切り分ける手段と、前記ＯＶＰＮから送出された試験光を再び前記ＯＶＰＮに折り返す手段とを備えることもできる。
【００２２】
これにより、ＯＶＰＮ設置管理事業者は、障害発生時にユーザ装置とＯＶＰＮ側とを切り分けて試験を実施することができる。
【００２３】
本発明の第四の観点は集中変換装置であって、本発明の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、複数の本発明のＯＶＰＮ終端装置に共通に前記相互に変換する手段の機能を提供する手段を備えたところにある。
【００２４】
これにより、ＯＶＰＮ終端装置に前記相互に変換する手段を備える必要がなく、ＯＶＰＮ終端装置の構成を簡単化および低コスト化することができる。
【００２５】
本発明の第五の観点は光通信網であって、本発明の特徴とするところは、本発明のＯＶＰＮシステムまたはＯＶＰＮ終端装置または拠点装置または集中変換装置を備えたところにある。
【００２６】
【発明の実施の形態】
（第一実施例）
第一実施例を図１を参照して説明する。図１は第一実施例のＯＶＰＮ構成例を示す図である。説明を簡単化するために、図１では、左上のユーザ装置２０−１、２１−１から左下のユーザ装置２０−２への信号が伝送される例を示しているが、通常の通信は、同時に反対方向へも信号が伝送される。また、図１に示すＯＶＰＮ終端装置３０および８０、網制御装置４０および６０、光クロスコネクト装置５０および７０はそれぞれ同一構成の装置であり、以下では、説明を簡単化するために、主としてＯＶＰＮ終端装置３０、網制御装置４０、光クロスコネクト装置５０について説明し、ＯＶＰＮ終端装置８０、網制御装置６０、光クロスコネクト装置７０の同一内容の説明は省略する。なお、本実施例ではＳＤＨについて説明するがＳＯＮＥＴであっても同様に説明することができる。
【００２７】
網制御装置４０により光クロスコネクト装置５０の方路が設定され、拠点間にＳＤＨ網を介したＯＶＰＮが構成される。なお、網制御装置４０は、各拠点のユーザ装置２０−１、２１−１により制御することができる。
【００２８】
第一実施例では、ＯＶＰＮ終端装置３０は、ユーザ装置２０−１、２０−２、２１−１に適用された第一の信号フォーマットであるＧｉｇａｂｉｔ  ＥｔｈｅｒｎｅｔまたはＡＴＭとＯＶＰＮに適用された前記第一の信号フォーマットとは異なる第二の信号フォーマットであるＳＤＨとを相互に変換する信号変換器であるコンバータ３３、３４を備え、当該コンバータ３３、３４は、複数の異なる前記第一の信号フォーマットに対応して複数設けられる。どのコンバータ３３または３４を用いるかは、光スイッチ３２を制御して決定する。
【００２９】
なお、ユーザ装置およびＯＶＰＮ共に同一信号フォーマットである場合には一切の信号変換を必要とせず、コンバータ３３、３４を経由せずに通信を行うことができるが、そのようなケースは、本発明の特徴を説明する上で無意味なので説明を省略する。
【００３０】
また、ユーザ装置２０−１とユーザ装置２０−２とが異なる信号フォーマットを用いても信号変換可能であればＯＶＰＮを利用できるが、ここでは説明をわかりやすくするために、同じ信号フォーマットとして説明する。
【００３１】
第一実施例の拠点装置２５は、ＯＶＰＮとユーザ装置２０−１、２１−１、２０−２、２１−２との間に介挿され、ユーザ装置２０−１、２１−１に着目すると、ユーザ装置２０−１、２１−１が用いる複数の光波長信号を多重して前記ＯＶＰＮに送出する光合波器２４と、前記ＯＶＰＮから到来する光波長多重信号を分離してユーザ装置２０−１、２１−１にそれぞれ送出する光分波器２３とを備え、光合波器２４および光分波器２３のそれぞれについて用いる波長の情報および当該波長が多重されて伝送される旨の情報を前記ＯＶＰＮに制御線を介して通知する。
【００３２】
また、第一実施例のＯＶＰＮ終端装置３０は、ＯＶＰＮ加入者のユーザ装置２０−１、２１−１を拠点装置２５を介して収容し、ＯＶＰＮから到来する複数の光波長信号を多重して拠点装置２５に送出する光合波器１２４と、拠点装置２５から到来する光波長多重信号を分離する光分波器１２３とを備え、光スイッチ制御装置３１は、この光分波器１２３により分波された光波長信号を拠点装置２５により通知された情報に基づき所定の方路に伝送させる。
【００３３】
なお、拠点装置は、基本的にユーザ側に設置される。しかし、ネットワーク側に設置された場合にも同様に説明することができ、拠点装置の設置位置の如何が本発明の本質に影響を与えることはないので、いずれでもよいこととする。
【００３４】
（第二実施例）
第二実施例を図２を参照して説明する。図２は第二実施例の拠点装置およびＯＶＰＮ終端装置のブロック構成図である。
【００３５】
第二実施例の拠点装置２５は、図２に示すように、ＯＶＰＮとユーザ装置２０−１との間に介挿され、ユーザ装置２０−１が送出するシリアル信号を複数のパラレル信号に変換して前記ＯＶＰＮに送出し、前記ＯＶＰＮから到来する複数のパラレル信号をシリアル信号に変換してユーザ装置２０−１に送出するシリアル・パラレル変換器２６とを備え、当該シリアル信号を当該パラレル信号に変換した旨の情報およびパラレル信号のトポロジに関する情報を前記ＯＶＰＮに通知する。
【００３６】
また、第二実施例のＯＶＰＮ終端装置３０は、ユーザ装置２０−１を拠点装置２５を介して収容し、拠点装置２５により通知された情報に基づき一連のシリアル信号から分割されたパラレル信号を同一の前記第一の信号フォーマットに対応する複数のコンバータ３３または３４にそれぞれ入力させる。
【００３７】
（第三実施例）
第三実施例を図３を参照して説明する。図３は第三実施例の拠点装置２５およびＯＶＰＮ終端装置３０のブロック構成図である。
【００３８】
第三実施例の拠点装置２５は、図３に示すように、ＯＶＰＮとユーザ装置２０−１との間に介挿され、ユーザ装置２０−１から送出されたシリアル信号を変換したパラレル信号を波長多重して前記ＯＶＰＮに送出し、前記ＯＶＰＮから到来する波長多重信号をパラレル信号に分離して当該パラレル信号をシリアル信号に変換してユーザ装置２０−１に送出するシリアル・パラレル変換器２６および合分波器２７を備え、当該シリアル信号を当該パラレル信号に変換した旨の情報およびパラレル信号のトポロジに関する情報および当該パラレル信号が波長多重されて伝送される旨の情報を前記ＯＶＰＮに通知する。
【００３９】
また、第三実施例のＯＶＰＮ終端装置は、ユーザ装置２０−１を拠点装置２５を介して収容し、前記ＯＶＰＮから到来するパラレル信号を多重して拠点装置２５に送出し、拠点装置２５から到来する光波長多重信号を分離してパラレル信号として前記ＯＶＰＮに送出する合分波器１２７を備え、拠点装置２５により通知された情報に基づき波長多重信号から分離されたパラレル信号を同一の前記第一の信号フォーマットに対応する複数のコンバータ３３または３４にそれぞれ入力させる。
【００４０】
なお、合分波器２７と１２７との間の波長多重のために、合分波器２７および１２７に、シリアル・パラレル変換器２６および光スイッチ３２から入力された光信号は、それぞれ相互に異なる波長に変換される。また、合分波器２７および１２７からシリアル・パラレル変換器２６および光スイッチ３２に出力される光信号は、それぞれ合分波器２７および１２７に、シリアル・パラレル変換器２６および光スイッチ３２から入力される以前の波長に戻される。
【００４１】
（第四実施例）
第四実施例を図４を参照して説明する。図４は第四実施例の拠点装置における試験装置構成を示す図である。図４に示す試験装置は拠点装置に設けられ、ユーザ装置２０−１とＯＶＰＮとを切り分け、ＯＶＰＮから送出された試験光を再びＯＶＰＮに折り返すための折り返し制御器９０および光スイッチ９１を備える。
【００４２】
（第五実施例）
第五実施例を図５を参照して説明する。図５は第五実施例のＯＶＰＮ構成を説明するための図である。図５のＯＶＰＮ構成では、ＯＶＰＮ終端装置３０−１、３０−２にコンバータ３３、３４を設けずに、ＯＶＰＮ内に集中変換装置１００を設け、集中変換装置１００内に光スイッチ制御装置１３１および光スイッチ１３２およびコンバータ３３、３４を設け、複数のＯＶＰＮ終端装置３０−１、３０−２が共通にコンバータ３３、３４を利用できるようにした。
【００４３】
なお、このような集中変換装置が複数設けられている場合には、自ＯＶＰＮ終端装置から最短経路となる集中変換装置を選択する。このとき、当該最短経路となる集中変換装置が塞がっている場合には、次に最短経路となる集中変換装置を選択する。
【００４４】
（第六実施例）
第六実施例を図６を参照して説明する。図６は第六実施例のＯＶＰＮ終端装置のブロック構成図である。第六実施例のＯＶＰＮ終端装置３０は、コンバータ３３、３４を自装置内に備え、少なくとも一部のコンバータ３４は、ユーザ装置からＯＶＰＮに向かうシリアルな前記第一の信号フォーマットによる一連の信号を前記ＯＶＰＮ内のパラレルな複数の前記第二の信号フォーマットによる信号に変換し前記ＯＶＰＮからユーザ装置に向かうパラレルな当該複数の前記第二の信号フォーマットによる信号をシリアルな前記第一の信号フォーマットによる一連の信号に相互に変換する合分波器３５を含む。
【００４５】
これにより、ＯＶＰＮ内の伝送速度よりもＯＶＰＮ外の伝送速度の方が速い場合にも対処することができる。図６の例では、ＯＶＰＮ外が１０Ｇｂｉｔ／ｓであり、ＯＶＰＮ内が２．５Ｇｂｉｔ／ｓであっても合分波器３５により１０Ｇｂｉｔ／ｓのシリアル信号と４本の２．５Ｇｂｉｔ／ｓのパラレル信号とを相互に変換することができるため対応することができる。なお、図５に示した集中変換装置１００のコンバータ３３または３４と図６に示した合分波器３５とを組み合わせて、集中変換装置１００において、図６に示した構成を採用し、速度変換に対応することもできる。
【００４６】
【発明の効果】
以上説明したように、本発明によれば、ユーザからの適用する信号フォーマットの変更要求に即応可能であり、また、伝送路を有効利用することができるＯＶＰＮを実現することができる。
【図面の簡単な説明】
【図１】第一実施例のＯＶＰＮ構成例を示す図。
【図２】第二実施例の拠点装置およびＯＶＰＮ終端装置のブロック構成図。
【図３】第三実施例の拠点装置およびＯＶＰＮ終端装置のブロック構成図。
【図４】第四実施例の拠点装置に設けられた回線試験構成を示す図。
【図５】第五実施例のＯＶＰＮシステムの全体構成図。
【図６】第六実施例のＯＶＰＮ終端装置のブロック構成図。
【図７】従来のＯＶＰＮ構成例を示す図。
【符号の説明】
１、３、５、６、１２３、１２４、１２５  光専用線
１０、１１、１２、５０、５１、７０  光クロスコネクト装置
１３、１４、１５  ＯＶＰＮ制御端末
２０−１、２０−２、２１−１、２１−２、２２−１、２２−２  ユーザ装置
２３、１２３  光分波器
２４、１２４  光合波器
２５  拠点装置
２６  シリアル・パラレル変換器
２７、３５、１２７  合分波器
３０、８０  ＯＶＰＮ終端装置
３１、８１、１３１  光スイッチ制御装置
３２、８２、９１、１３２  光スイッチ
３３、３４  コンバータ
３５  合分波器
４０、４１、６０  網制御装置
９０  折り返し制御器
１００  集中変換装置
【図１】
2004193659.tif 000003
【図２】
2004193659.tif 000004
【図３】
2004193659.tif 000005
【図４】
2004193659.tif 000006
【図５】
2004193659.tif 000007
【図６】
2004193659.tif 000008
【図７】
2004193659.tif 000009